(57)【要約】【課題】  ヘッドホン用の増幅手段を有するマルチチャンネル増幅器において、ヘッドホンを使用しない場合、フロントスピーカーへのオーディオ信号経路がヘッドホンへのオーディオ信号経路による悪影響を受けず、フロントスピーカーから出力される音声を高音質化することを安価に実現するマルチチャンネル増幅器を提供する。【解決手段】  本発明によるマルチチャンネル増幅器は、ヘッドホンがヘッドホン用出力端子に接続されていない場合、フロントチャンネル信号ＦＬ／ＦＲがフロントスピーカーへ出力されるための、第１の入力端１からバッファ回路１０ａ、スイッチＩＣ９、第１の音量調整手段３ａ、バッファ回路１０ｂおよび第１の増幅手段４ａを経てフロントスピーカー用出力端子６までのオーディオ信号経路が、他のオーディオ信号経路と電気的に非接続状態となるように、制御手段５によってスイッチＩＣおよび第１〜３のスイッチをオンオフ制御する。【選択図】  図１
2008283581.tif 000002
【特許請求の範囲】
【請求項１】
フロントチャンネル信号が入力される第１の入力端と、
サラウンドチャンネル信号が入力される第２の入力端と、
該フロントチャンネル信号が入力され、該フロントチャンネル信号をレベル調整する第１の音量調整手段と、
該フロントチャンネル信号または該サラウンドチャンネル信号が入力され、該フロントチャンネル信号または該サラウンドチャンネル信号をレベル調整する第２の音量調整手段と、
該第１の音量調整手段に接続され、該第１の音量調整手段から供給される該フロントチャンネル信号を増幅してフロントスピーカーに出力する第１の増幅手段と、
該第２の音量調整手段に接続され、該第２の音量調整手段から供給される該サラウンドチャンネル信号を増幅してサラウンドスピーカーに出力する第２の増幅手段と、
該第２の増幅手段と並列に該第２の音量調整手段に接続され、該第２の音量調整手段から供給される該フロントチャンネル信号を増幅する第３の増幅手段と、
ヘッドホンが接続可能であり、該第２の増幅手段から供給される該フロントチャンネル信号を出力するヘッドホン用出力端子と、
該第１の入力端から該第１の音量調整手段および該第１の増幅手段を経て該フロントスピーカーに至る第１の経路を、接続状態または非接続状態に切り替える第１のスイッチ手段と、
該第１の入力端から該第２の音量調整手段に至る第２の経路を、接続状態または非接続状態に切り替える第２のスイッチ手段と、
該第２の入力端から該第２の音量調整手段に至る第３の経路を、接続状態または非接続状態に切り替える第３のスイッチ手段と、
該第２の音量調整手段から該第２の増幅手段を経て該サラウンドスピーカーに至る第４の経路を、接続状態または非接続状態に切り替える第４のスイッチ手段と、
該第２の音量調整手段から該第３の増幅手段を経て該ヘッドホン用出力端子に至る第５の経路を、接続状態または非接続状態に切り替える第５のスイッチ手段と、
該ヘッドホンが該ヘッドホン用出力端子に接続されたか否かに基づき、該第１〜第５の経路の接続状態または非接続状態の切り替えを制御する制御手段とを備え；
該制御手段が、
該ヘッドホン用出力端子に該ヘッドホンが接続されない場合に、該第１の経路が接続状態に、該第２の経路が非接続状態になるよう該第１および２のスイッチ手段を制御する、マルチチャンネル増幅器。
【請求項２】
前記第１のスイッチ手段が、
前記第１の入力端と前記第１の音量調整手段との接続を、接続状態または非接続状態に切り替えるスイッチ部を含み、
前記ヘッドホン用出力端子に前記ヘッドホンが接続された場合に、前記第１の経路と前記第３の経路と前記第４の経路とが非接続状態に、前記第２の経路および前記第５の経路が接続状態になるように、該スイッチ部および該第２〜第５のスイッチを制御する、請求項１に記載のマルチチャンネル増幅器。
【請求項３】
前記第１の入力端または前記第２の入力端と前記スイッチＩＣとの間に第１または第２のバッファ回路が接続され、該スイッチＩＣと前記第１の音量調整手段または前記第２の音量調整手段との間に第３または第４のバッファ回路が接続される、請求項１または２に記載のマルチチャンネル増幅器。
【発明の詳細な説明】
【技術分野】
【０００１】
本発明は、ヘッドホン用増幅手段を備えるマルチチャンネル増幅器に関する。
【背景技術】
【０００２】
従来のマルチチャンネル増幅器について説明する。図３は、従来のマルチチャンネル増幅器の概略構成を示す回路図である。従来のマルチチャンネル増幅器は、フロントチャンネル用音量調整手段３ａと、サラウンドチャンネル用音量調整手段３ｂと、フロントチャンネル用増幅手段４ａと、サラウンドチャンネル用増幅手段４ｂと、ヘッドホン用増幅手段４ｃと、制御手段５と、フロントスピーカー用出力端子６と、サラウンドスピーカー用出力端子７と、ヘッドホン用出力端子８と、スイッチＳＷ１〜ＳＷ３とを備える。
【０００３】
フロントチャンネル用音量調整手段３ａは、入力端１を介して入力されるアナログのオーディオ信号であるフロントチャンネル信号ＦＬ／ＦＲが入力され、そのフロントチャンネル信号ＦＬ／ＦＲをレベル調整し、フロントチャンネル用増幅手段４ａに出力する。フロントチャンネル用増幅手段４ａは、フロントチャンネル信号ＦＬ／ＦＲを増幅し、スイッチＳＷ１を介してフロントスピーカー端子６へ出力する。そして、フロントチャンネル信号ＦＬ／ＦＲは、フロントスピーカー用出力端子６に接続されるフロントスピーカーへ出力され、音声に変換される。
【０００４】
サラウンドチャンネル用音量調整手段３ｂは、入力端２を介して入力されるアナログのサラウンドチャンネル信号ＳＬ／ＳＲが入力され、そのサラウンドチャンネル信号ＳＬ／ＳＲをレベル調整し、サラウンドチャンネル用増幅手段４ｂに出力する。サラウンドチャンネル用増幅手段４ｂは、サラウンドチャンネル信号ＳＬ／ＳＲを増幅し、スイッチＳＷ２を介してサラウンドスピーカー用出力端子７へ出力する。そして、サラウンドチャンネル信号ＳＬ／ＳＲは、サラウンドスピーカー端子７に接続されるサラウンドスピーカーへ出力され、音声に変換される。
【０００５】
ヘッドホン用増幅手段４ｃは、その入力端がフロント用音量調整手段３ａの後段にフロントチャンネル用増幅手段４ａと並列に接続され、フロントチャンネル用音量調整手段３ａによってレベル調整されたフロントチャンネル信号ＦＬ／ＦＲが入力される。ヘッドホン用増幅手段４ｃは、入力されたフロントチャンネル信号ＦＬ／ＦＲを増幅し、スイッチＳＷ３を介してヘッドホン用出力端子８へ出力する。そして、フロントチャンネル信号ＦＬ／ＦＲは、ヘッドホン用出力端子８に接続されるヘッドホンへ出力され、音声に変換される。
【０００６】
ヘッドホン用出力端子８は、ヘッドホンが接続されると、ヘッドホンとヘッドホン用出力端子８とが接続されたことを接続信号として制御手段５に出力する。制御手段５は、ヘッドホン用出力端子８から出力される接続信号を検出し、その接続信号を基に、スイッチＳＷ１〜ＳＷ３をオンオフ制御する。
【０００７】
ヘッドホン用出力端子８にヘッドホンが接続されていない場合、制御手段５は、フロントスピーカーまたはサラウンドスピーカーへフロントチャンネル信号ＦＬ／ＦＲまたはサラウンドチャネル信号ＳＬ／ＳＲがそれぞれ出力されるように、スイッチＳＷ１、ＳＷ２をオンし、スイッチＳＷ３をオフする。また、ヘッドホン用出力端子８にヘッドホンが接続されている場合、ヘッドホンへフロントチャンネル信号ＦＬ／ＦＲが出力されるように、制御手段５は、スイッチＳＷ１、ＳＷ２をオフし、スイッチＳＷ３をオンする。
【０００８】
このような従来のマルチチャンネル増幅器は、ヘッドホン用出力端子８にヘッドホンが接続されていない場合であっても、ヘッドホン用増幅手段４ｃが、フロントチャンネル用音量調整手段３ａの後段にフロントチャンネル用増幅手段４ａと並列に接続された状態になっているので、フロントチャンネル用増幅手段４ａの入力インピーダンスが下がったり、ヘッドホン用増幅手段４ｃへの配線がインダクタ成分になったりすることで、音質が悪化するという問題がある。
【０００９】
そこで、フロントチャンネル用増幅器４ａおよびヘッドホン用増幅器４ｃの前段にそれぞれリレーを設け、ヘッドホンがヘッドホン用出力端子８に接続されていない場合には、そのリレーをオンオフ制御してフロントチャンネル用増幅器４ａとヘッドホン用増幅器４ｃとを電気的に非接続状態にすることによって、上記問題を解決する方法がある。しかし、リレーは高価であり、コストアップとなる問題がある。
【００１０】
【特許文献１】特開平１０−１３９８７号公報
【発明の開示】
【発明が解決しようとする課題】
【００１１】
本発明は、上記の従来の技術が有する問題を解決するためになされたものであり、その目的は、ヘッドホン用の増幅手段を有するマルチチャンネル増幅器において、ヘッドホンを使用しない場合であっても、フロントスピーカーへのオーディオ信号経路がヘッドホンへのオーディオ信号経路による悪影響を受けず、フロントスピーカーから出力される音声を高音質化することを実現するマルチチャンネル増幅器を提供することにある。
【課題を解決するための手段】
【００１２】
本発明の好ましい実施形態によるマルチチャンネル増幅器は、フロントチャンネル信号が入力される第１の入力端と、サラウンドチャンネル信号が入力される第２の入力端と、該フロントチャンネル信号が入力され、該フロントチャンネル信号をレベル調整する第１の音量調整手段と、該フロントチャンネル信号または該サラウンドチャンネル信号が入力され、該フロントチャンネル信号または該サラウンドチャンネル信号をレベル調整する第２の音量調整手段と、該第１の音量調整手段に接続され、該第１の音量調整手段から供給される該フロントチャンネル信号を増幅してフロントスピーカーに出力する第１の増幅手段と、該第２の音量調整手段に接続され、該第２の音量調整手段から供給される該サラウンドチャンネル信号を増幅してサラウンドスピーカーに出力する第２の増幅手段と、該第２の増幅手段と並列に該第２の音量調整手段に接続され、該第２の音量調整手段から供給される該フロントチャンネル信号を増幅する第３の増幅手段と、ヘッドホンが接続可能であり、該第２の増幅手段から供給される該フロントチャンネル信号を出力するヘッドホン用出力端子と、該第１の入力端から該第１の音量調整手段および該第１の増幅手段を経て該フロントスピーカーに至る第１の経路を、接続状態または非接続状態に切り替える第１のスイッチ手段と、該第１の入力端から該第２の音量調整手段に至る第２の経路を、接続状態または非接続状態に切り替える第２のスイッチ手段と、該第２の入力端から該第２の音量調整手段に至る第３の経路を、接続状態または非接続状態に切り替える第３のスイッチ手段と、該第２の音量調整手段から該第２の増幅手段を経て該サラウンドスピーカーに至る第４の経路を、接続状態または非接続状態に切り替える第４のスイッチ手段と、該第２の音量調整手段から該第３の増幅手段を経て該ヘッドホン用出力端子に至る第５の経路を、接続状態または非接続状態に切り替える第５のスイッチ手段と、該ヘッドホンが該ヘッドホン用出力端子に接続されたか否かに基づき、該第１〜第５の経路の接続状態または非接続状態の切り替えを制御する制御手段とを備え；該制御手段が、該ヘッドホン用出力端子に該ヘッドホンが接続されない場合に、該第１の経路が接続状態に、該第２の経路が非接続状態になるよう該第１および２のスイッチ手段を制御する。
【００１３】
さらに好ましい実施形態においては、上記第１のスイッチ手段が、上記第１の入力端と上記第１の音量調整手段との接続を、接続状態または非接続状態に切り替えるスイッチ部を含み、上記ヘッドホン用出力端子に上記ヘッドホンが接続された場合に、上記第１の経路と上記第３の経路と上記第４の経路とが非接続状態に、上記第２の経路および上記第５の経路が接続状態になるように、該スイッチ部および該第２〜第５のスイッチを制御する。
【００１４】
さらに好ましい実施形態においては、上記第１の入力端または上記第２の入力端と上記スイッチＩＣとの間に第１または第２のバッファ回路が接続され、該スイッチＩＣと上記第１の音量調整手段または上記第２の音量調整手段との間に第３または第４のバッファ回路が接続される。
【発明の効果】
【００１５】
本発明によれば、ヘッドホン用の増幅手段を有するマルチチャンネル増幅器において、ヘッドホンを使用しない場合に（すなわち、フロントスピーカーから音声を出力する場合に）、フロントスピーカーへのオーディオ信号経路とヘッドホンへのオーディオ信号経路とを非接続状態にすることによって、フロントスピーカーへのオーディオ信号経路がヘッドホンへの信号経路に影響を受けず、フロントスピーカーから出力される音声の高音質化を実現するマルチチャンネル増幅器を提供することが可能となる。
【発明を実施するための最良の形態】
【００１６】
以下、本発明の好ましい実施形態によるマルチチャンネル増幅器について説明するが、本発明はこれらの実施形態には限定されない。図中同一又は相当部分には同一符号を付してその説明を援用する。
【００１７】
まず、図１を参照して、本発明のマルチチャンネル増幅器の概略構成を説明する。図１は、本発明の好ましい実施形態によるマルチチャンネル増幅器を示す回路図である。
【００１８】
マルチチャンネル増幅器は、第１の入力端１と、第２の入力端２と、第１の音量調整手段３ａと、第２の音量調整手段３ｂと、第１の増幅手段４ａと、第２の増幅手段４ｂと、第３の増幅手段４ｃと、制御手段５と、フロントスピーカー（図示せず）が接続されるフロントスピーカー用出力端子６と、サラウンドスピーカー（図示せず）が接続されるサラウンドスピーカー用出力端子７と、ヘッドホン（図示せず）が接続されるヘッドホン用出力端子８と、スイッチＳＷ１〜ＳＷ３と、スイッチＩＣ９と、バッファ回路１０ａ〜１０ｄとを備える。
【００１９】
第１の入力端１は、外部からアナログのオーディオ信号であるフロントチャンネル信号ＦＬ／ＦＲが入力され、第２の入力端２は、外部からアナログのオーディオ信号であるサラウンドチャンネル信号ＳＬ／ＳＲが入力される。
【００２０】
第１の音量調整手段３ａは、第１の入力端１から入力されるフロントチャンネル信号ＦＬ／ＦＲをレベル調整して第１の増幅手段４ａに出力する。本実施例において、第１の音量調整手段３ａは、オペアンプＯＰ１を含み、オペアンプＯＰ１の出力端は音量調整手段３ａの出力端に接続される。オペアンプＯＰ１の正相入力端子は、音量調整手段３ａの入力端に接続されて接地される可変抵抗ＶＲ１の摺動子に接続される。オペアンプＯＰ１の逆相入力端子は、オペアンプＯＰ１の出力端と音量調整手段３ａの出力端との間に接続されて接地され且つ可変抵抗ＶＲ２の摺動子に接続され、レベル調整されたフロントチャンネル信号ＦＬ／ＦＲが帰還信号として入力される。
【００２１】
第２の音量調整手段３ｂは、第１の入力端１から入力されるフロントチャンネル信号ＦＬ／ＦＲまたは第２の入力端２から入力されるサラウンドチャンネル信号ＳＬ／ＳＲをレベル調整して、第２の増幅手段４ｂまたは第３の増幅手段４ｃに出力する。本実施例において、第２の音量調整手段３ｂは、オペアンプＯＰ２を含み、オペアンプＯＰ２の出力端は音量調整手段３ｂの出力端に接続される。オペアンプＯＰ２の正相入力端子は、音量調整手段３ｂの入力端に接続され且つ接地される可変抵抗ＶＲ３の摺動子に接続される。オペアンプＯＰ２の逆相入力端子は、オペアンプＯＰ２の出力端と音量調整手段３ｂの出力端との間に接続され且つ接地される可変抵抗ＶＲ４の摺動子に接続され、レベル調整されたフロントチャンネル信号ＦＬ／ＦＲまたはサラウンドチャンネル信号ＳＬ／ＳＲが帰還信号として入力される。
【００２２】
第１の増幅手段４ａは、第１の音量調整手段３ａの後段に接続され、第１の音量調整手段３ａによってレベル調整されたフロントチャンネル信号ＦＬ／ＦＲを増幅してフロントスピーカー用出力端子６へ出力する。第２の増幅手段４ｂは、第２の音量調整手段３ｂの後段に接続され、第２の音量調整手段３ｂによってレベル調整されたサラウンドチャンネル信号ＳＬ／ＳＲを増幅してサラウンドスピーカー用出力端子７へ出力する。第３の増幅手段４ｃは、第２の音量調整手段３ｂの後段に、第２の増幅手段４ｃと並列に接続され、第２の音量調整手段３ｂによってレベル調整されたフロントチャンネル信号ＦＬ／ＦＲを増幅してヘッドホン用出力端子８へ出力する。
【００２３】
スイッチＳＷ１は、第１の増幅手段４ａからフロントスピーカーへの出力経路を接続状態または非接続状態に切り替えるためのものである。言い換えると、スイッチＳＷ１は、第１の増幅手段４ａとフロントスピーカー用出力端子６との間に接続され、第１の増幅手段４ａから出力されるフロントチャンネル信号ＦＬ／ＦＲがフロントスピーカー用出力端子６に対して供給されることを許可または阻止するためのものである。すなわち、スイッチＳＷ１がオンすると、第１の増幅手段４ａから出力されるフロントチャンネル信号ＦＬ／ＦＲは、フロントスピーカー用出力端子６に供給され、スイッチＳＷ１がオフすると、フロントチャンネル信号ＦＬ／ＦＲのフロントスピーカー用出力端子６への供給が阻止される。
【００２４】
スイッチＳＷ２は、第２の増幅手段４ｂからサラウンドスへの出力経路を接続状態または非接続状態切り替えるためのものである。言い換えると、スイッチＳＷ２は、第２の増幅手段４ｂとサラウンドスピーカー用出力端子７との間に接続され、第２の増幅手段４ｂから出力されるサラウンドチャンネル信号ＳＬ／ＳＲがサラウンドスピーカー用出力端子７に対して供給されることを許可または阻止するためのものである。すなわち、スイッチＳＷ２がオンすると、第２の増幅手段４ａから出力されるサラウンドチャンネル信号ＳＬ／ＳＲは、サラウンドスピーカー用出力端子７に供給され、スイッチＳＷ２がオフすると、サラウンドチャンネル信号ＳＬ／ＳＲのサラウンドスピーカー用出力端子７への供給が阻止される。
【００２５】
スイッチＳＷ３は、第３の増幅手段４ｃからヘッドホンへの出力経路を接続状態または非接続状態に切り替えるためのものである。言い換えると、スイッチＳＷ３は、第３の増幅手段４ｃとヘッドホン用出力端子８との間に接続され、第３の増幅手段４ｃから出力されるフロントチャンネル信号ＦＬ／ＦＲがヘッドホン用出力端子８に対して供給されることを許可または阻止するためのものである。すなわち、スイッチＳＷ３がオンすると、第３の増幅手段４ｃから出力されるフロントチャンネル信号ＦＬ／ＦＲは、ヘッドホン用出力端子８に供給され、スイッチＳＷ３がオフすると、フロントチャンネル信号ＦＬ／ＦＲのヘッドホン用出力端子８への供給が阻止される。
【００２６】
スイッチＩＣ９は、第１の入力端１または第２の入力端２と第１の音量調整手段３ａまたは第２の音量調整手段３ｂとの間に接続され、第１の入力端１から第１の音量調整手段３ａの入力経路を接続状態または非接続状態に切り替え、第１の入力端１から第２の音量調整手段３ｂへの入力経路を接続状態または非接続状態に切り替え、第２の入力端２から第２の音量調整手段３ｂへの入力経路を接続状態または非接続状態に切り替えるためのものである。
【００２７】
スイッチＩＣ９は、スイッチＳＷ４〜ＳＷ６を含む。スイッチＳＷ４は、第１の入力端子１と第１の音量調整手段３ａとの間に接続され、第１の入力端１から第１の音量調整手段３ａへの入力経路を接続状態または非接続状態に切り替える。言い換えると、スイッチＳＷ４は、第１の入力端１から入力されるフロントチャンネル信号ＦＬ／ＦＲが第１の音量調整手段３ａに対して供給されることを許可または阻止するためのものである。すなわち、スイッチＳＷ４がオンすると、第１の入力端１から入力されるフロントチャンネル信号ＦＬ／ＦＲが、第１の音量調整手段３ａに供給され、スイッチＳＷ４がオフすると、フロントチャンネル信号ＦＬ／ＦＲの第１の音量調整手段３ａへの供給が阻止される。スイッチＳＷ５は、第１の入力端子１と第２の音量調整手段３ｂとの間に接続され、第１の入力端１から第２の音量調整手段３ｂへの入力経路を接続状態または非接続状態に切り替える。言い換えると、スイッチＳＷ５は、第１の入力端１から入力されるフロントチャンネル信号ＦＬ／ＦＲが第２の音量調整手段３ｂに供給されることを許可または阻止するためのものである。すなわち、スイッチＳＷ５がオンすると、第１の入力端１から入力されるフロントチャンネル信号ＦＬ／ＦＲが、第２の音量調整手段３ｂに供給され、スイッチＳＷ５がオフすると、フロントチャンネル信号ＦＬ／ＦＲの第２の音量調整手段３ｂへの供給が阻止される。スイッチＳＷ６は、第２の入力端子２と第２の音量調整手段３ｂとの間に接続され、第２の入力端２から第２の音量調整手段３ｂへの入力経路を接続状態または非接続状態に切り替える。言い換えると、スイッチＳＷ６は、第２の入力端２から入力されるサラウンドチャンネル信号ＳＬ／ＳＲが第２の音量調整手段３ｂに供給されることを許可または阻止するためのものである。すなわち、スイッチＳＷ６がオンすると、第２の入力端２から入力されるサラウンドチャンネル信号ＳＬ／ＳＲが、第２の音量調整手段３ｂに供給され、スイッチＳＷ６がオフすると、サラウンドチャンネル信号ＳＬ／ＳＲの第２の音量調整手段３ｂへの供給が阻止される。
【００２８】
バッファ回路１０ａ、１０ｃは、第１の入力端１または第２の入力端２とスイッチＩＣ９との間にそれぞれ接続される。また、バッファ回路１０ｂ、１０ｄは、スイッチＩＣと第１の音量調整手段３ａまたは第２の音量調整手段３ｂとの間にそれぞれ接続される。
【００２９】
ヘッドホン用出力端子８は、ヘッドホンが接続される。ヘッドホン用出力端子８は、ヘッドホンが接続されると、ヘッドホンとヘッドホン用出力端子８とが接続されたことを接続信号として制御手段５に出力する。
【００３０】
制御手段５は、ヘッドホンがヘッドホン用出力端子８に接続されたか否かに基づいて、フロントチャンネル信号ＦＬ／ＦＲまたはサラウンドチャンネル信号ＳＬ／ＳＲを、どのスピーカー及び／またはヘッドホンへ出力するかを制御するものである。言い換えると、ヘッドホンがヘッドホン用出力端子８に接続されたか否かに基づき、スイッチＩＣ９において、第１の入力端１から第１の音量調整手段３ａへ入力経路、第１の入力端１から第２の音量調整手段３ｂへの入力経路、および第２の入力端２から第２の音量調整手段３ｂへの入力経路の接続状態または非接続状態の切り替えを制御し、スイッチＳＷ１〜ＳＷ３において、第１の増幅手段４ａからフロントスピーカーへの出力経路、第２の増幅手段４ｂからサラウンドスピーカーへの出力経路、および第３の増幅手段４ｃからヘッドホンへの出力経路の接続状態または非接続状態の切り替えを制御する。具体的には、ヘッドホン用出力端子８からの接続信号の有無に基づいて、スイッチＳＷ１〜ＳＷ３をオンオフ制御し、スイッチＩＣ９のスイッチＳＷ４〜ＳＷ６をオンオフ制御する。また、制御手段５は、第１の音量調整手段３ａおよび第２の音量調整手段３ｂにおける、オーディオ信号のレベル調整の制御も行う。
【００３１】
次に、以上の構成から成るマルチチャンネル増幅器の動作について説明する。
【００３２】
制御手段５は、ヘッドホン用出力端子８にヘッドホンが接続されたか否かを判断する。具体的には、制御手段５は、ヘッドホン用出力端子８から接続信号が入力されたか否かによって、ヘッドホンがヘッドホン用出力端子８に接続されたか否かを判断し、ヘッドホン用出力端子８から接続信号が入力されれば、ヘッドホン用出力端子８にヘッドホンが接続されたと判断する。
【００３３】
図２は、制御手段５によるスイッチＳＷ１〜ＳＷ３およびスイッチＩＣ９のＳＷ４〜ＳＷ６の制御を示す図である。制御手段５が、ヘッドホン用出力端子８にヘッドホンが接続されていないと判断した場合、スイッチＳＷ１およびスイッチＩＣ９のスイッチＳＷ４をオンし、スイッチＩＣ９のスイッチＳＷ５をオフする。これにより、第１の入力端１から第２の音量調整手段３ｂへの入力経路が非接続状態となり、第１の入力端１から入力されたフロントチャンネル信号ＦＬ／ＦＲは、バッファ回路１０ａ、スイッチＩＣ９、第１の音量調整手段３ａおよびバッファ回路１０ｂを介して第１の増幅手段４ａに至り、フロントスピーカー用出力端子６に出力される。また、スイッチＳＷ２、スイッチＳＷ３およびスイッチＩＣ９のスイッチＳＷ６に関しては、フロントスピーカーのみから音声を出力させる場合、スイッチＩＣ９のスイッチＳＷ６がオフされる、または、スイッチＳＷ２およびスイッチＳＷ３がオフされる。サラウンドスピーカーからも音声を出力させる場合は、スイッチＳＷ２およびスイッチＩＣのスイッチＳＷ６がオンされ、スイッチＳＷ３がオフされる。
【００３４】
制御手段５が、ヘッドホン用出力端子８にヘッドホンが接続されたと判断した場合、スイッチＳＷ１、スイッチＳＷ２およびスイッチＩＣ９のスイッチＳＷ４、ＳＷ６をオフし、スイッチＳＷ３およびスイッチＩＣ９のスイッチＳＷ５をオンする。これにより、第１の入力端１から第１の音量調整手段３ａへの入力経路と第２の入力端２から第２の音量調整手段３ｂへの入力経路とが非接続状態となり、第１の入力端１から入力されたフロントチャンネル信号ＦＬ／ＦＲは、バッファ回路１０ａ、スイッチＩＣ、バッファ回路１０ｄおよび第２の音量調整手段３ｂを介して第３の増幅手段４ｃに至り、ヘッドホン用出力端子８に出力される。
【００３５】
以上、本発明に係るマルチチャンネル増幅器は、ヘッドホンがヘッドホン用出力端子８に接続されていない場合、フロントチャンネル信号ＦＬ／ＦＲがフロントスピーカーへ出力されるための、第１の入力端１からバッファ回路１０ａ、スイッチＩＣ９、第１の音量調整手段３ａ、バッファ回路１０ｂおよび第１の増幅手段４ａを経てフロントスピーカー用出力端子６までのオーディオ信号経路が、他のオーディオ信号経路と電気的に非接続状態となるように、制御手段５によってスイッチＩＣ９およびスイッチＳＷ１〜ＳＷ３をオンオフ制御する。その結果、他のオーディオ信号経路（特に第３の増幅手段４ｃを含むヘッドホンへのオーディオ信号経路）がフロントスピーカーへのオーディオ信号経路に接続された場合に生じる悪影響、つまり、第１の増幅手段４ａの入力インピーダンスの低下や、配線によるインダクタ成分が生じることがなく、フロントスピーカーから出力される音声を高音質化することができる。
【００３６】
さらに、本発明に係るマルチチャンネル増幅器は、ヘッドホンがヘッドホン用出力端子８に接続された場合、フロントチャンネル信号ＦＬ／ＦＲがヘッドホンに出力されるための、第１の入力端１からバッファ回路１０ａ、スイッチＩＣ９、第１の音量調整手段３ｂ、バッファ回路１０ｄおよび第３の増幅手段４ｃを経てヘッドホン用出力端子８までのオーディオ信号経路が、第１の音量調整手段３ａおよび第１の増幅手段４ａを含むフロントスピーカーへのオーディオ信号経路と入力端２と電気的に非接続状態となるように、制御手段５によってスイッチＩＣ９およびスイッチＳＷ１〜ＳＷ３をオンオフ制御する。その結果、フロントスピーカーへのオーディオ信号経路と入力端２とがヘッドホンへのオーディオ信号経路に接続された場合に生じる悪影響、つまり、第３の増幅手段４ｃの入力インピーダンスの低下や、配線によるインダクタ成分が発生を抑えることができ、ヘッドホンから出力される音声を高音質化することができる。
【００３７】
また、本発明に係るマルチチャンネル増幅器は、第１の入力端１から第１の音量調整手段３ａまたは第２の音量調整手段３ｂへの入力経路、および、第２の入力端２から第２の音量調整手段３ｂへの入力経路を、接続状態または非接続状態に切り替えるための手段として、リレーではなくスイッチＩＣを利用しているので安価に製造することができる。
【００３８】
また、第１の入力端１または第２の入力端２とスイッチＩＣ９との間にバッファ回路１０ａ、１０ｃを接続し、スイッチＩＣと第１の音量調整手段３ａまたは第２の音量調整手段３ｂとの間にバッファ回路１０ｂ、１０ｄを接続することによって、スイッチＩＣ９の影響によって生じるマルチチャンネル増幅器の出力の歪を抑えることができ、その結果、フロントスピーカーから出力される音声をより高音質化することができ、サラウンドスピーカーまたはサラウンドスピーカーから出力される音声も高音質化することができる。
【００３９】
また、本実施例において、制御手段５が、ヘッドホン用出力端子８にヘッドホンが接続されたと判断した場合、スイッチＳＷ１、スイッチＳＷ２およびスイッチＩＣ９のスイッチＳＷ４、ＳＷ６をオフし、スイッチＳＷ３およびスイッチＩＣ９のスイッチＳＷ５をオンするように説明したが、フロントスピーカーへのフロントチャンネル信号の供給は、スイッチＩＣ９のスイッチＳＷ４によって阻止されているので、スイッチＳＷ１はオンされても良い。
【００４０】
また、本実施例において、スイッチＳＷ１を第１の増幅手段４ａとフロントスピーカー用出力端子６との間に、スイッチＳＷ２を第２の増幅手段４ｂとサラウンドスピーカー用出力端子７との間に、スイッチＳＷ３を第３の増幅手段とヘッドホン用出力端子８との間に接続したが、その限りではない。例えば、第１の音量調整手段３ａから第１の増幅手段４ａへの経路を接続状態または非接続状態に切り替え可能なように、スイッチＳＷ１を第１の音量調整手段３ａと第１の増幅手段４ａとの間に接続する。また、第２の音量調整手段３ｂから第１の増幅手段４ｂへの経路を接続状態または非接続状態に切り替え可能なように、スイッチＳＷ２を第２の第２の増幅手段４ｂとサラウンドスピーカー用出力端子７との間に接続する。そして、第２の音量調整手段３ｂから第３の増幅手段４ｃへの経路を接続状態または非接続状態に切り替え可能なように、スイッチＳＷ３を第３の増幅手段とヘッドホン用出力端子８との間に接続する。なお、第２の増幅手段４ｂおよび第３の増幅手段が第２の音量調整手段３ｂに対して並列に接続されるように、スイッチＳＷ２およびスイッチＳＷ３も、第２の音量調整手段３ｂに対して並列に接続される。この場合のスイッチＳＷ１〜ＳＷ３のオンオフ制御は、上述の実施例におけるオンオフ制御と同様である。
【００４１】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【産業上の利用可能性】
【００４２】
本発明のマルチチャンネル増幅器は、あらゆる用途の電子機器に用いられ得るが、音響機器などに好適に用いられ得る。
【図面の簡単な説明】
【００４３】
【図１】本発明の好ましい実施形態によるマルチチャンネル増幅器を説明する回路図である。
【図２】本発明の好ましい実施形態における、制御手段によるスイッチの制御を示す図である。
【図３】従来のマルチチャンネル増幅器を説明する回路図である。
【符号の説明】
【００４４】
１  第１の入力端
２  第２の入力端
３ａ  第１の音量調整手段
３ｂ  第２の音量調整手段
４ａ  第１の増幅手段
４ｂ  第２の増幅手段
４ｃ  第３の増幅手段
５  制御手段
６  フロントスピーカー用出力端子
７  サラウンドスピーカー用出力端子
８  ヘッドホン用出力端子
９  スイッチＩＣ
１０ａ〜１０ｄ  バッファ回路
ＳＷ１〜ＳＷ６  スイッチ
ＯＰ１、ＯＰ２  オペアンプ
ＶＲ１〜ＶＲ４  可変抵抗
ＦＬ／ＦＲ  フロントチャンネル信号
ＳＬ／ＳＲ  サラウンドチャンネル信号
【図１】
2008283581.tif 000003
【図２】
2008283581.tif 000004
【図３】
2008283581.tif 000005
【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
フロントチャンネル信号が入力される第１の入力端と、
サラウンドチャンネル信号が入力される第２の入力端と、
該フロントチャンネル信号が入力され、該フロントチャンネル信号をレベル調整する第１の音量調整手段と、
該フロントチャンネル信号または該サラウンドチャンネル信号が入力され、該フロントチャンネル信号または該サラウンドチャンネル信号をレベル調整する第２の音量調整手段と、
該第１の音量調整手段に接続され、該第１の音量調整手段から供給される該フロントチャンネル信号を増幅してフロントスピーカーに出力する第１の増幅手段と、
該第２の音量調整手段に接続され、該第２の音量調整手段から供給される該サラウンドチャンネル信号を増幅してサラウンドスピーカーに出力する第２の増幅手段と、
該第２の増幅手段と並列に該第２の音量調整手段に接続され、該第２の音量調整手段から供給される該フロントチャンネル信号を増幅する第３の増幅手段と、
ヘッドホンが接続可能であり、該第３の増幅手段から供給される該フロントチャンネル信号を出力するヘッドホン用出力端子と、
該第１の入力端から該第１の音量調整手段および該第１の増幅手段を経て該フロントスピーカーに至る第１の経路を、接続状態または非接続状態に切り替える第１のスイッチ手段と、
該第１の入力端から該第２の音量調整手段に至る第２の経路を、接続状態または非接続状態に切り替える第２のスイッチ手段と、
該第２の入力端から該第２の音量調整手段に至る第３の経路を、接続状態または非接続状態に切り替える第３のスイッチ手段と、
該第２の音量調整手段から該第２の増幅手段を経て該サラウンドスピーカーに至る第４の経路を、接続状態または非接続状態に切り替える第４のスイッチ手段と、
該第２の音量調整手段から該第３の増幅手段を経て該ヘッドホン用出力端子に至る第５の経路を、接続状態または非接続状態に切り替える第５のスイッチ手段と、
該ヘッドホンが該ヘッドホン用出力端子に接続されたか否かに基づき、該第１〜第５の経路の接続状態または非接続状態の切り替えを制御する制御手段とを備え；
該制御手段が、
該ヘッドホン用出力端子に該ヘッドホンが接続されない場合に、該第１の経路が接続状態に、該第２の経路が非接続状態になるよう該第１および２のスイッチ手段を制御する、マルチチャンネル増幅器。
【請求項２】
前記第１のスイッチ手段が、
前記第１の入力端と前記第１の音量調整手段との接続を、接続状態または非接続状態に切り替えるスイッチ部を含み、
前記ヘッドホン用出力端子に前記ヘッドホンが接続された場合に、前記第１の経路と前記第３の経路と前記第４の経路とが非接続状態に、前記第２の経路および前記第５の経路が接続状態になるように、該スイッチ部および前記第２〜第５のスイッチを制御する、請求項１に記載のマルチチャンネル増幅器。
【請求項３】
前記第１の入力端と、前記スイッチ部および前記第２のスイッチ手段との間に第１のバッファ回路が接続され、
該スイッチ部と前記第１の音量調整手段との間に第２のバッファ回路が接続され、
前記第２の入力端と前記第３のスイッチ手段との間に第３のバッファ回路が接続され、
該第２のスイッチ手段および該第３のスイッチ手段と、前記第２の音量調整手段との間に第４のバッファ回路が接続される、請求項２に記載のマルチチャンネル増幅器。
【手続補正２】
【補正対象書類名】明細書
【補正対象項目名】００１２
【補正方法】変更
【補正の内容】
【００１２】
本発明の好ましい実施形態によるマルチチャンネル増幅器は、フロントチャンネル信号が入力される第１の入力端と、サラウンドチャンネル信号が入力される第２の入力端と、該フロントチャンネル信号が入力され、該フロントチャンネル信号をレベル調整する第１の音量調整手段と、該フロントチャンネル信号または該サラウンドチャンネル信号が入力され、該フロントチャンネル信号または該サラウンドチャンネル信号をレベル調整する第２の音量調整手段と、該第１の音量調整手段に接続され、該第１の音量調整手段から供給される該フロントチャンネル信号を増幅してフロントスピーカーに出力する第１の増幅手段と、該第２の音量調整手段に接続され、該第２の音量調整手段から供給される該サラウンドチャンネル信号を増幅してサラウンドスピーカーに出力する第２の増幅手段と、該第２の増幅手段と並列に該第２の音量調整手段に接続され、該第２の音量調整手段から供給される該フロントチャンネル信号を増幅する第３の増幅手段と、ヘッドホンが接続可能であり、該第３の増幅手段から供給される該フロントチャンネル信号を出力するヘッドホン用出力端子と、該第１の入力端から該第１の音量調整手段および該第１の増幅手段を経て該フロントスピーカーに至る第１の経路を、接続状態または非接続状態に切り替える第１のスイッチ手段と、該第１の入力端から該第２の音量調整手段に至る第２の経路を、接続状態または非接続状態に切り替える第２のスイッチ手段と、該第２の入力端から該第２の音量調整手段に至る第３の経路を、接続状態または非接続状態に切り替える第３のスイッチ手段と、該第２の音量調整手段から該第２の増幅手段を経て該サラウンドスピーカーに至る第４の経路を、接続状態または非接続状態に切り替える第４のスイッチ手段と、該第２の音量調整手段から該第３の増幅手段を経て該ヘッドホン用出力端子に至る第５の経路を、接続状態または非接続状態に切り替える第５のスイッチ手段と、該ヘッドホンが該ヘッドホン用出力端子に接続されたか否かに基づき、該第１〜第５の経路の接続状態または非接続状態の切り替えを制御する制御手段とを備え；該制御手段が、該ヘッドホン用出力端子に該ヘッドホンが接続されない場合に、該第１の経路が接続状態に、該第２の経路が非接続状態になるよう該第１および２のスイッチ手段を制御する。
【手続補正３】
【補正対象書類名】明細書
【補正対象項目名】００１３
【補正方法】変更
【補正の内容】
【００１３】
さらに好ましい実施形態においては、上記第１のスイッチ手段が、上記第１の入力端と上記第１の音量調整手段との接続を、接続状態または非接続状態に切り替えるスイッチ部を含み、上記ヘッドホン用出力端子に上記ヘッドホンが接続された場合に、上記第１の経路と上記第３の経路と上記第４の経路とが非接続状態に、上記第２の経路および上記第５の経路が接続状態になるように、該スイッチ部および上記第２〜第５のスイッチを制御する。
【手続補正４】
【補正対象書類名】明細書
【補正対象項目名】００１４
【補正方法】変更
【補正の内容】
【００１４】
さらに好ましい実施形態においては、上記第１の入力端と、上記スイッチ部および上記第２のスイッチ手段との間に第１のバッファ回路が接続され、該スイッチ部と上記第１の音量調整手段との間に第２のバッファ回路が接続され、上記第２の入力端と上記第３のスイッチ手段との間に第３のバッファ回路が接続され、該第２のスイッチ手段および該第３のスイッチ手段と、上記第２の音量調整手段との間に第４のバッファ回路が接続される。
【手続補正５】
【補正対象書類名】明細書
【補正対象項目名】００２４
【補正方法】変更
【補正の内容】
【００２４】
スイッチＳＷ２は、第２の増幅手段４ｂからサラウンドスピーカーへの出力経路を接続状態または非接続状態切り替えるためのものである。言い換えると、スイッチＳＷ２は、第２の増幅手段４ｂとサラウンドスピーカー用出力端子７との間に接続され、第２の増幅手段４ｂから出力されるサラウンドチャンネル信号ＳＬ／ＳＲがサラウンドスピーカー用出力端子７に対して供給されることを許可または阻止するためのものである。すなわち、スイッチＳＷ２がオンすると、第２の増幅手段４ａから出力されるサラウンドチャンネル信号ＳＬ／ＳＲは、サラウンドスピーカー用出力端子７に供給され、スイッチＳＷ２がオフすると、サラウンドチャンネル信号ＳＬ／ＳＲのサラウンドスピーカー用出力端子７への供給が阻止される。
【手続補正６】
【補正対象書類名】明細書
【補正対象項目名】００３６
【補正方法】変更
【補正の内容】
【００３６】
さらに、本発明に係るマルチチャンネル増幅器は、ヘッドホンがヘッドホン用出力端子８に接続された場合、フロントチャンネル信号ＦＬ／ＦＲがヘッドホンに出力されるための、第１の入力端１からバッファ回路１０ａ、スイッチＩＣ９、第２の音量調整手段３ｂ、バッファ回路１０ｄおよび第３の増幅手段４ｃを経てヘッドホン用出力端子８までのオーディオ信号経路が、第１の音量調整手段３ａおよび第１の増幅手段４ａを含むフロントスピーカーへのオーディオ信号経路と入力端２と電気的に非接続状態となるように、制御手段５によってスイッチＩＣ９およびスイッチＳＷ１〜ＳＷ３をオンオフ制御する。その結果、フロントスピーカーへのオーディオ信号経路と入力端２とがヘッドホンへのオーディオ信号経路に接続された場合に生じる悪影響、つまり、第３の増幅手段４ｃの入力インピーダンスの低下や、配線によるインダクタ成分が発生を抑えることができ、ヘッドホンから出力される音声を高音質化することができる。
【手続補正７】
【補正対象書類名】明細書
【補正対象項目名】００４０
【補正方法】変更
【補正の内容】
【００４０】
また、本実施例において、スイッチＳＷ１を第１の増幅手段４ａとフロントスピーカー用出力端子６との間に、スイッチＳＷ２を第２の増幅手段４ｂとサラウンドスピーカー用出力端子７との間に、スイッチＳＷ３を第３の増幅手段とヘッドホン用出力端子８との間に接続したが、その限りではない。例えば、第１の音量調整手段３ａから第１の増幅手段４ａへの経路を接続状態または非接続状態に切り替え可能なように、スイッチＳＷ１を第１の音量調整手段３ａと第１の増幅手段４ａとの間に接続する。また、第２の音量調整手段３ｂから第２の増幅手段４ｂへの経路を接続状態または非接続状態に切り替え可能なように、スイッチＳＷ２を第２の音量調整手段３ｂと第２の増幅手段４ｂとの間に接続する。そして、第２の音量調整手段３ｂから第３の増幅手段４ｃへの経路を接続状態または非接続状態に切り替え可能なように、スイッチＳＷ３を第２の音量調整手段３ｂと第３の増幅手段４ｃとの間に接続する。この場合のスイッチＳＷ１〜ＳＷ３のオンオフ制御は、上述の実施例におけるオンオフ制御と同様である。
【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
フロントチャンネル信号が入力される第１の入力端と、
サラウンドチャンネル信号が入力される第２の入力端と、
該フロントチャンネル信号が入力され、該フロントチャンネル信号をレベル調整する第１の音量調整手段と、
該フロントチャンネル信号または該サラウンドチャンネル信号が入力され、該フロントチャンネル信号または該サラウンドチャンネル信号をレベル調整する第２の音量調整手段と、
該第１の音量調整手段に接続され、該第１の音量調整手段から供給される該フロントチャンネル信号を増幅してフロントスピーカーに出力する第１の増幅手段と、
該第２の音量調整手段に接続され、該第２の音量調整手段から供給される該サラウンドチャンネル信号を増幅してサラウンドスピーカーに出力する第２の増幅手段と、
該第２の増幅手段と並列に該第２の音量調整手段に接続され、該第２の音量調整手段から供給される該フロントチャンネル信号を増幅する第３の増幅手段と、
ヘッドホンが接続可能であり、該第３の増幅手段から供給される該フロントチャンネル信号を出力するヘッドホン用出力端子と、
該第１の入力端から該第１の音量調整手段および該第１の増幅手段を経て該フロントスピーカーに至る第１の経路において、該第１の入力端と該第１の音量調整手段との接続を接続状態または非接続状態に切り替えるスイッチ部を含む第１のスイッチ手段と、
該第１の入力端から該第２の音量調整手段に至る第２の経路を、接続状態または非接続状態に切り替える第２のスイッチ手段と、
該第２の入力端から該第２の音量調整手段に至る第３の経路を、接続状態または非接続状態に切り替える第３のスイッチ手段と、
該第２の音量調整手段から該第２の増幅手段を経て該サラウンドスピーカーに至る第４の経路を、接続状態または非接続状態に切り替える第４のスイッチ手段と、
該第２の音量調整手段から該第３の増幅手段を経て該ヘッドホン用出力端子に至る第５の経路を、接続状態または非接続状態に切り替える第５のスイッチ手段と、
該ヘッドホンが該ヘッドホン用出力端子に接続されたか否かに基づき、該第１〜第５の経路の接続状態または非接続状態の切り替えを制御する制御手段とを備え；
該制御手段が、
該ヘッドホン用出力端子に該ヘッドホンが接続されない場合に、該第１の経路が接続状態に、該第２の経路が非接続状態になるよう該スイッチ部および該第２のスイッチ手段を制御し、該第１の入力端から入力される該フロントチャンネル信号を該第１の経路を介してフロントスピーカーへ出力させ、
該ヘッドホン用出力端子に該ヘッドホンが接続された場合に、該第２の経路および該第５の経路が接続状態に、該第１の経路と該第３の経路と該第４の経路とが非接続状態になるように、該スイッチ部および該第２〜第５のスイッチを制御し、該第１の入力端から入力される該フロントチャンネル信号を該第２の音量調整手段および該第３の増幅手段を介してヘッドホンへ出力させる、マルチチャンネル増幅器。
【請求項２】
前記第１の入力端と、前記スイッチ部および前記第２のスイッチ手段との間に第１のバッファ回路が接続され、
該スイッチ部と前記第１の音量調整手段との間に第２のバッファ回路が接続され、
前記第２の入力端と前記第３のスイッチ手段との間に第３のバッファ回路が接続され、
該第２のスイッチ手段および該第３のスイッチ手段と、前記第２の音量調整手段との間に第４のバッファ回路が接続される、請求項１に記載のマルチチャンネル増幅器。